(57)【要約】【課題】レンズ鏡筒を収納状態に切り換える際に退避レンズの光路からの効果的な退避制御を行い、撮影状態で要求される光学要素の配置が実現でき、同時に光学要素の収納状態における短縮化も可能なレンズ鏡筒を提供する。【解決手段】撮影可能な突出状態と収納状態とに切換可能な沈胴式レンズ鏡筒は、撮影可能な状態で光路中の進出位置と収納状態で撮影光路から退避した退避位置とに回動移動する三群枠１０と、三群枠１０と隣接して配され、上記突出状態と収納状態との変化に伴い光軸方向に変位するシャッタ枠９と、上記レンズ鏡筒が突出状態から収納状態へと移行するに際し、シャッタ枠９と三群枠１０との干渉がないように三群枠１０の退避位置への回動動作に連動してシャッタ枠９と三群枠１０の光軸方向の間隔を変化させる端面カム部１０ｄを三群枠１０の軸支ボス部に１０ａに設けている。【選択図】図２
2008170650.tif 000002
【特許請求の範囲】
【請求項１】
光軸方向に突出した突出状態と、収納された収納状態との切り換えが可能なレンズ鏡筒において、
上記突出状態にあるときに光路中に位置する進出位置に位置し、上記収納状態にあるとき光路から退避した退避位置に位置する退避枠と、
光軸方向で上記退避枠と隣接して配置され、上記突出状態と収納状態との変化に伴い光軸方向に変位する変位枠と、
上記突出状態から収納状態へと移行するに際し、上記変位枠と退避枠との光軸方向の間隔を変化させる駆動手段と、
を具備することを特徴とするレンズ鏡筒。
【請求項２】
上記駆動手段は、上記突出状態から収納状態へと移行するに際し、上記変位枠と退避枠とを離間させた後、両者を近接させることを特徴とする請求項１に記載のレンズ鏡筒。
【請求項３】
上記変位枠には光路を開閉するためのシャッタが配され、上記突出状態において変倍動作がなされる際には、上記変位枠と上記退避枠とは光軸方向に一体的に変位することを特徴とする請求項２に記載のレンズ鏡筒。
【請求項４】
光軸方向に突出した突出状態と、収納された収納状態とが可能なレンズ鏡筒において、
上記突出状態にあるときに光路中に位置する進出位置に位置し、上記収納状態にあるとき、光路から退避した退避位置に位置する退避枠と、
光軸方向で上記退避粋と隣接して配置され、上記突出状態と収納状態との変化に伴い光軸方向に変位する変位枠と、
上記退避枠が上記進出位置から退避位置へと変位することに伴い作用するカム手段と、
を具備し、上記カム手段により上記退避枠と変位枠との光軸方向の間隔を変位可能であって、上記突出位置から収納状態へと移行するに際し、上記退避枠と変位との光軸方向の間隔を離間させた後、両者を近接させることを特徴とするレンズ鏡筒。
【請求項５】
さらに、軸部材と、
上記退避枠に設けられ、上記軸部材と嵌合する軸受け部と、
を具備し、上記退避枠は、上記進出位置と退避位置との間を上記軸部材周りに回動し、上記カム手段のカム面もしくはカムフォロアの一方が上記軸受け部に設けられることを特徴とする請項４に記載のレンズ鏡筒。
【請求項６】
上記カム手段は、カム面とこのカム面に当接するカムフオロアとを具備し、上記カム面は、上記退避枠が上記進出位置にあるときに上記退避枠と変位枠との間隔を規定する第一のカム部と、上記退避枠と上記変位枠とが離間するように駆動するための第二のカム部と、上記退避枠と上記変位枠とが近接するように駆動するための第三のカム部と、上記退避枠が上記退避位置にあるときに上記退避枠と変位枠との間隔を規定する第四のカム部とを有し、上記第二のカム部のリード角は、上記第三のカム部のリード角よりも大きいことを特徴とする請求項４に記載のレンズ鏡筒。
【請求項７】
上記第一のカム部と第四のカム部とは、平坦部からなることを特徴とする請求項６に記載のレンズ鏡筒。
【発明の詳細な説明】
【技術分野】
【０００１】
本発明は、光軸方向に突出した突出状態と、収納された収納状態との切り換えが可能なレンズ鏡筒に関する。
【背景技術】
【０００２】
従来、収納状態である沈胴時にレンズ枠が光路から退避する機構を有するカメラのレンズ鏡筒において、上記退避するレンズ枠に保持される退避レンズは、口径の小さいレンズの場合が多い。これは退避レンズの退避スペースを小さくすることが出来るためである。一般に光学系の光路中では絞りの位置近傍の光束が絞られているので、該退避レンズの前後の位置にシャッタや絞り等の光学要素部材が配置される場合が多い。
【０００３】
また、退避スペースを小さくするために口径の小さいレンズを退避レンズとした場合に、退避レンズの近傍に他のレンズなどの光学要素が配置される場合も考えられる。
【０００４】
しかしながら、上記退避レンズが退避する際に上記光学要素部材と干渉しないように、十分に上記退避レンズと上記光学要素の間隔を確保しておかなければならないという制約があり、退避するレンズとその前後の部材との間隔を短くできない。
【０００５】
特許文献１に開示されたレンズ鏡筒は、退避光学要素（第三レンズ群）が光軸と平行な方向に移動可能に支持されており、上記退避光学要素が光路から退避した退避位置に移動した後、レンズ収納のための凹部を設けた露出制御部材（シャッタブロック）に対して、上記退避光学要素の光軸方向の位置を変化させて収納効率を向上させるものである。
【特許文献１】特開２００６−７２０４２号公報
【発明の開示】
【発明が解決しようとする課題】
【０００６】
しかし、上述した特許文献１に開示されたレンズ鏡筒においては、上記退避光学要素を光路から退避させる退避動作中、該退避光学要素と露出制御部材との光軸方向の相対位置を変化させることができない。従って、退避光学要素の退避軌跡を確保するためには、その前後に位置する他の光学要素との間隔を十分に短くすることができない。この場合、光学設計上の制約が増えることになり、光学性能を確保することが困難になる虞がある。また、退避光学要素の退避軌跡を確保するために、その前後に位置する他の光学要素との間隔が十分にある要素を退避光学要素とした場合、径の大きな要素を退避光学要素とする必要が生じるなどして収納効率の向上を図ることが困難となる。
【０００７】
本発明は、上述の問題を解決するためになされたものであり、レンズ鏡筒を収納状態に切り換える際に退避枠の光路からの効果的な退避制御を行い、撮影状態で要求される光学要素の配置を可能とし、同時に光学要素の収納状態におけるレンズ鏡筒の小型化が実現できるレンズ鏡筒を提供することを目的とする。
【課題を解決するための手段】
【０００８】
本発明の請求項１記載のレンズ鏡筒は、光軸方向に突出した突出状態と、収納された収納状態との切り換えが可能なレンズ鏡筒において、上記突出状態にあるときに光路中に位置する進出位置に位置し、上記収納状態にあるとき光路から退避した退避位置に位置する退避枠と、光軸方向で上記退避枠と隣接して配置され、上記突出状態と収納状態との変化に伴い光軸方向に変位する変位枠と、上記突出状態から収納状態へと移行するに際し、上記変位枠と退避枠との光軸方向の間隔を変化させる駆動手段とを具備する。
【０００９】
本発明の請求項２に記載のレンズ鏡筒は、請求項１に記載のレンズ鏡筒において、上記駆動手段は、上記突出状態から収納状態へと移行するに際し、上記変位枠と退避枠とを離間させた後、両者を近接させることを特徴とする請求項１に記載のレンズ鏡筒。
【００１０】
本発明の請求項３に記載のレンズ鏡筒は、請求項２に記載のレンズ鏡筒において、上記変位枠には光路を開閉するためのシャッタが配され、上記突出状態において変倍動作がなされる際には、上記変位枠と上記退避枠とは光軸方向に一体的に変位する。
【００１１】
本発明の請求項４に記載のレンズ鏡筒は、光軸方向に突出した突出状態と、収納された収納状態とが可能なレンズ鏡筒において、上記突出状態にあるときに光路中に位置する進出位置に位置し、上記収納状態にあるとき、光路から退避した退避位置に位置する退避枠と、光軸方向で上記退避粋と隣接して配置され、上記突出状態と収納状態との変化に伴い光軸方向に変位する変位枠と、上記退避枠が上記進出位置から退避位置へと変位することに伴い作用するカム手段とを具備し、上記カム手段により上記退避枠と変位枠との光軸方向の間隔を変位可能であって、上記突出位置から収納状態へと移行するに際し、上記退避枠と変位との光軸方向の間隔を離間した後、両者を近接させる。
【００１２】
本発明の請求項５に記載のレンズ鏡筒は、請求項４に記載のレンズ鏡筒において、さらに、軸部材と、上記退避枠に設けられ、上記軸部材と嵌合する軸受け部とを具備し、上記退避枠は、上記進出位置と退避位置との間を上記軸部材周りに回動し、上記カム手段のカム面もしくはカムフォロアの一方が上記軸受け部に設けられる。
【００１３】
本発明の請求項６に記載のレンズ鏡筒は、請求項４に記載のレンズ鏡筒において、上記カム手段は、カム面とこのカム面に当接するカムフオロアとを具備し、上記カム面は、上記退避枠が上記進出位置にあるときに上記退避枠と変位枠との間隔を規定する第一のカム部と、上記退避枠と上記変位枠とが離間するように駆動するための第二のカム部と、上記退避枠と上記変位枠とが近接するように駆動するための第三のカム部と、上記退避枠が上記退避位置にあるときに上記退避枠と変位枠との間隔を規定する第四のカム部とを有し、上記第二のカム部のリード角は、上記第三のカム部のリード角よりも大きい。
【００１４】
本発明の請求項７に記載のレンズ鏡筒は、請求項６に記載のレンズ鏡筒において、上記第一のカム部と第四のカム部とは、平坦部からなる。
【発明の効果】
【００１５】
本発明によれば、レンズ鏡筒を収納状態に切り換える際に退避枠の光路からの効果的な退避制御を行い、撮影状態で要求される光学要素の配置を可能となり、同時に光学要素の収納状態におけるレンズ鏡筒の小型化が実現できるレンズ鏡筒を提供できる。
【発明を実施するための最良の形態】
【００１６】
以下、図を用いて本発明の実施形態について説明する。
【００１７】
図１は、本発明の第一の実施形態のレンズ鏡筒の分解斜視図である。図２は、上記レンズ鏡筒を構成するシャッタ・３群ユニットと退避カムの分解斜視図である。なお、図２は、細部を図示するために図１の左下から見た状態を示している。図３は、上記シャッタ・３群ユニットに内蔵される三群枠の斜視図である。図４は、上記レンズ鏡筒のテレ状態における光軸に沿った断面図である。図５は、上記レンズ鏡筒のワイド状態における光軸に沿った断面図である。図６は、上記レンズ鏡筒の沈胴状態における光軸に沿った断面図である。
【００１８】
なお、以下の説明において、上記撮影レンズの光軸をＯとし、該光軸Ｏ方向で被写体側を前方（各鏡枠の繰り出し方向）、結像側を後方（各鏡枠の繰り込み方向）とする。また、各部材の回転方向は、前方側から見た回転方向で示す。
【００１９】
本実施形態のレンズ鏡筒１は、光軸Ｏ方向に鏡枠部材が突出した撮影可能な突出状態（ワイド状態からテレ状態の間の状態）と上記鏡枠部材が収納された沈胴状態とに切り換え可能な沈胴式レンズ鏡筒である。
【００２０】
レンズ鏡筒１は、図１に示すように固定枠２と、固定枠２に支持される鏡枠部材であって、ズーミング時や沈胴駆動時に回転、進退駆動される回転枠３と、回転規制状態で回転枠３とともに進退する移動枠４と、回転枠３と共に回転し、進退移動するカム枠５と、回転規制状態でカム枠５とともに進退する直進ガイド枠６と、回転規制状態で回転枠３により進退駆動されるシャッタ・三群ユニット３１と、回転規制状態でカム枠５によりそれぞれ進退駆動される二群枠１１および一群枠１２と、フォーカシング時や沈胴駆動時に進退駆動される四群枠１３と、撮影レンズ群として光軸Ｏ前方側から順次配され、一群枠１２、二群枠１１、三群枠１０、四群枠１３にそれぞれ保持される一群レンズ２１と、二群レンズ２２と、退避レンズである三群レンズ２３と、フォーカシングレンズである四群レンズ２４とを有し、さらに、固定枠２の後端部に取り付けられる保持プレート１５と、該保持プレート１５に装着される撮像ユニットとを有している。なお、上記各枠部材の上記進退駆動方向は、光軸Ｏ方向に沿った方向とする。
【００２１】
固定枠２は、円筒状の部材であり、内周部に光軸Ｏに対して傾斜した傾斜カム溝部と円周に沿った円周カム溝部とが連接されてなるカム溝２ａと、光軸Ｏに沿った直進溝２ｂとが設けられている。また、この固定枠２には外周部に撮影レンズのズーミング駆動を行うためのユニットであってズームモータ、ギヤ列およびロングギヤ４５を含むズーミングユニット１７と、撮影レンズのフォーカシング駆動を行うためのユニットであってフォーカスモータ、ギヤ列、送りねじおよびガイド軸５７を含むフォーカシングユニット１８とが配されている。
【００２２】
なお、ロングギヤ４５は、光軸Ｏと平行な方向に沿って固定枠２の内周部に露呈した状態で支持されている。
【００２３】
回転枠３は、固定枠２の内周部に回動進退可能に嵌入する円筒状の部材であり、外周後方部に固定枠のカム溝２ａに摺動可能に嵌入するカムフォロア３ａと、ロングギヤ４５と噛合するギヤ部３ｂとが設けられている。内周部には光軸Ｏに方向に対し傾斜した三群用カム溝３ｄと、光軸Ｏ方向に沿ったカム枠用直進溝３ｃと、内周後端部に突部３ｅとが設けられている。
【００２４】
この回転枠３は、カムフォロア３ａが固定枠２のカム溝２ａに摺動可能に嵌入しておりロングギヤ４５によりギヤ部３ｂを介して回転駆動され、その回転により回転しながら沈胴位置から撮影可能なワイド位置まで繰り出され、その後、テレ位置まで光軸Ｏ方向に進退することなく回転駆動される。
【００２５】
移動枠４は、回転枠３の内周部に相対回転可能に嵌入する円筒部材であり、固定枠２によって回転規制された状態で進退移動が可能である。この移動枠４の後端外周部に固定枠２の直進溝２ｂに嵌入するガイド突起部４ａが設けられ、さらに、内外周を貫通する溝部として、光軸Ｏ方向に対して傾斜するカム枠用カム溝４ｃおよび直進状の三群用直進溝４ｂと、外周後方部に円周溝４ｅが設けられている。
【００２６】
この移動枠４は、回転枠３の内周部に突部３ｅを円周溝４ｅに嵌入させた状態で嵌入させることにより回転枠３に対して相対回転が可能で光軸Ｏ方向に一体移動する状態で結合（バヨネット結合）される。
【００２７】
カム枠５は、移動枠４の内周部に嵌入する円筒状の部材であり、カム枠５の外周後方部にはカムフォロア４１が設けられ、さらに、内周部には光軸Ｏに方向に対して傾斜した二群用カム溝５ａおよび一群用カム溝５ｂと、前端部に円周溝５ｃと設けられている。
【００２８】
このカム枠５は、カムフォロア４１が移動枠４のカム溝４ｃを摺動可能に係合した状態で貫通し、その先端部が回転枠３の直進溝３ｃに嵌入している。このカム枠５は、回転枠３と共に回動し、かつ、相対的に進退可能な状態で支持される。
【００２９】
直進ガイド枠６は、円筒部材であって、後端外周部に移動枠４の直進溝４ｄに嵌入するガイド突起部６ａが設けられ、さらに、内外周を貫通する光軸Ｏ方向に沿った二群用直進溝６ｂと、外周部に光軸Ｏ方向に沿った有底の一群用直進溝６ｃと、前端外周部には突起部６ｄが設けられている。
【００３０】
直進ガイド枠６は、移動枠４の直進溝４ｄにより回転規制された状態でカム枠５の内周部に嵌入している一群枠１２の内周部に嵌入している。そして、カム枠５の円周溝５ｃに突起部６ｄを嵌入させることによりカム枠５に対して相対回転が可能で、かつ、光軸Ｏ方向には一体移動する状態で結合（バヨネット結合）される。
【００３１】
二群枠１１は、円筒状部材であって、直進ガイド枠６の内周部に嵌入されて支持される。二群枠１１の前面開口部に二群レンズ２２が保持されており、外周部にはガイド突部１１ａと、該突部から突出したカムフォロア４３が設けられている。
【００３２】
ガイド突部１１ａは、直進ガイド枠６の直進溝６ｂに嵌入し、カムフォロア４３は、直進溝６ｂを挿通してカム枠５のカム溝５ａに摺動可能に嵌入する。したがって、二群枠１１は、直進ガイド枠６により回転規制された状態でカム枠５によりカムフォロア４３を介して進退駆動される。
【００３３】
一群枠１２は、円筒状部材であり、直進ガイド枠６の外周部とカム枠５の内周部に嵌入して支持される。そして、前面開口部にレンズ保持枠２０を介した状態で一群レンズ２１が保持され、さらに、一群レンズ２１の前面を開閉可能なレンズバリア２７がバリア押さえ板２８の内側に配されている（図４，６）。この一群枠１２の外周部には突出したカムフォロア４４が配されている。さらに、内周部に光軸Ｏに沿ったガイド突部１２ａ（図４，６）が設けられている。
【００３４】
カムフォロア４４は、カム枠５のカム溝５ｂに嵌入する。また、ガイド突部１２ａは、直進ガイド枠６の直進溝６ｃに嵌入する。したがって、一群枠１２は、直進ガイド枠６により回転規制された状態でカム枠５によりカムフォロア４４を介して進退駆動される。
【００３５】
レンズバリア２７は、一群枠１２の前端部にて回動可能に支持されており、バネ付勢された状態で回動可能に支持されるバリア駆動レバー（図示せず）により開閉駆動される。該バリア駆動レバーは、レンズ鏡筒１の沈胴駆動時に直進ガイド枠６の前方部に設けられた切り欠き状カム部６ｅによって回動駆動され、レンズバリア２７を閉方向に駆動する。
【００３６】
シャッタ・三群ユニット３１は、図２に示すように支持部材である三群用直進枠７と、押さえ板部材８と、変位枠であるシャッタ枠９と、該シャッタ枠９の後方側に隣接して配され、三群レンズ２３を保持する退避枠である三群枠１０と、退避駆動手段としての三群枠用回転駆動部材３５と、軸部材である支持軸５２と、トーションバネからなる回転付勢バネ５３と、圧縮バネからなる軸方向付勢バネ３６とを有している。なお、三群レンズ２３は、シャッタ枠９に対向する面が凸形状となっている。
【００３７】
三群用直進枠７は、移動枠４の内方部に挿入される進退可能な枠部材である。この三群用直進枠７には外方３方に延びた腕部に移動枠の三群用直進溝４ｂに嵌入するガイド突部７ａと、該突部から突出する状態で回転枠３の三群用カム溝３ｄに係合するカムフォロア４２とが設けられ、さらに、軸支持穴７ｃと、該軸支持穴の前方側側方に突出して配される、駆動手段（カム手段，カムフォロア）としての突起部７ｄと、前方側に突設されるシャッタ支持用の軸部７ｂとが設けられる。また、三群用直進枠７は、三群枠１０のレンズ保持部を撮影光路外に進退避可能なスペ−スを有している。
【００３８】
この三群用直進枠７は、移動枠４によって回転規制され、かつ、回転枠３により三群用カム溝３ｄ，カムフォロア４２を介して進退駆動される。このとき、後述するシャッタ枠９、押さえ板部材８、三群枠１０が三群用直進枠７と共に進退駆動される。
【００３９】
シャッタ枠９は、中央開口部９ａを有しており、その内部に該開口部９ａを開閉するためのシャッタ羽根５４（図４，５）と、該シャッタ羽根５４を開閉駆動するためのシャッタアクチュエータを含むシャッタ機構とを内蔵している。そして、シャッタ枠１０は全体として光軸Ｏ周辺を底部として三群枠１０に向いた凹形状となっている。
【００４０】
このシャッタ枠９は、軸部７ｂにより位置決めされ、三群用直進枠７の前方側に固定支持されており、三群用直進枠７と一体で進退移動する変位枠である。
【００４１】
押さえ板部材８は、軸支穴８ａを有する半円環状の部材であり、三群用直進枠７との間に三群枠１０とシャッタ枠９、さらに、支持軸５２とを組み込んだ状態で該直進枠７の前方側に当て付け、所定距離離間した状態でネジにより固着される。
【００４２】
三群枠１０は、三群レンズ２３を保持し、三群用直進枠７により支持軸５２中心に回転、進退可能に支持されている。そして、回転駆動部材３５を介して上記三群レンズ２３が光軸Ｏ上の撮影光路内に進出した進出位置（図４，５，７（Ａ））と該撮影光路外に退避した退避位置（図６，７（Ｄ））とに回動駆動され、かつ、上記回動駆動時にシャッタ枠９に対して光軸Ｏ方向に進退駆動される退避枠部材である。
【００４３】
この三群枠１０は、三群レンズ２３を保持するレンズ保持部と、該レンズ保持部に連結される軸受け部である軸支ボス部１０ａとを有している。
【００４４】
また、上記レンズ保持部の三群レンズ２３の前面部に接近して撮影光学系のレンズ開口絞り１０ｋが形成されている。
【００４５】
また、軸支ボス部１０ａには支持軸５２が嵌入する軸穴１０ｂと、外周部に回転駆動部材３５と係合する突起部１０ｃと、後端面側にカム手段（駆動手段）としての端面カム部１０ｄとが設けられている（図２，３）。
【００４６】
端面カム部１０ｄは、後述するように軸方向付勢バネ３６の付勢力を受けて三群用直進枠７の突起部７ｄと当接しており、退避回動駆動時に三群枠１０を光軸Ｏ方向へ進退駆動する。
【００４７】
該端面カム部１０ｄは、撮影状態（進出位置）におけるシャッタ枠９と三群枠１０の間隔を規定するための平坦面（光軸Ｏと直交する平面）からなる第一のカム部である第一カム面１０ｅと、退避駆動に際してシャッタ枠９と三群枠と離間させるための第二のカム部である第二カム面１０ｆと、三群枠１０の退避回動時のシャッタ枠９と三群枠１０の間隔を維持するための光軸Ｏと直交する平面からなる平坦面１０ｇと、上記三群枠１０の退避方向の回動後、三群枠１０をシャッタ枠９に接近させるための第三のカム部である第三カム面１０ｈと、沈胴状態（退避位置）におけるシャッタ枠９と三群枠１０の間隔を規定するための平坦面（光軸Ｏと直交する平面）からなる第四のカム部である第四カム面１０ｉとからなる。
【００４８】
なお、本実施の形態では、第二カム面１０ｆのリード角は、第三カム面１０ｈのリード角よりも大きい。これは、三群枠１０の退避動作時に三群枠１０を速やかにシャッタ枠９から離間させるためである。
【００４９】
回転駆動部材３５は、キャップ状の部材であって、軸支ボス部１０ａの突起部１０ｃが係合する凹部３５ｂと、側方に突出した状態で後述する保持プレート１５側の退避カム１４と当接可能なカムフォロア３５ｃが設けられている。
【００５０】
この回転駆動部材３５の凹部３５ｂを三群枠１０の軸支ボス部１０ａの突起部１０ｃに係合させ、その前方側外周部に軸方向に摺動可能な状態で嵌入させる。さらに、支持軸５２の先端部５２ａを回転駆動部材３５の軸穴３５ａに、その後方に三群枠１０の軸支ボス部１０ａの軸穴１０ｂを挿通させる。支持軸５２の両端は、三群用直進枠７の軸穴７ｃ、および、押さえ板８の軸支穴８ａによって支持される。
【００５１】
従って、三群枠１０の軸支ボス部１０ａと回転駆動部材３５とは、押さえ板８と三群用直進枠７の間にあって、支持軸５２により支持され、回転駆動部材３５は回転可能に、軸支ボス部１０ａは回転駆動部材３５とともに回転し、また、単体で摺動可能に支持される。
【００５２】
軸支ボス部１０ａと回転駆動部材３５の間には、軸方向付勢バネ３６が挿入されている。三群枠１０は、軸方向付勢バネ３６により軸支ボス部１０ａを介して後方側（突起７ｄ側）に付勢され、軸支ボス部１０ａの端面カム部１０ｄが三群用直進枠７の突起部７ｄと当接する。さらに、回転付勢バネ５３が軸支ボス部１０ａの後方側外周に挿入されており、三群枠１０が支持軸５２まわりに前方側からみて反時計回り（進出回動方向）に付勢された状態となる。なお、上記三群枠１０の突起部１０ｃと回転駆動部材３５の凹部３５ｂと係合しているため、上記回転付勢バネ５３による回転付勢力は回転駆動部材３５にも伝達される。
【００５３】
退避駆動時には端面カム１４により回転駆動部材３５を介して三群枠１０が支持軸５２まわりに回動駆動され、その回動に伴って端面カム部１０ｄによって三群枠１０が三群用直進枠７およびシャッタ枠９に対して相対的に光軸Ｏ方向にも駆動される。
【００５４】
そして、上述した三群枠１０の回動動作に伴う光軸Ｏ方向の移動により、三群枠１０のレンズ保持部がシャッタ枠９と接触するのを避けながら三群枠１０の撮影光路進出位置から退避位置への退避駆動が行われる。この三群枠１０の退避動作の詳細については、図７，８等を用いて後で説明する。
【００５５】
四群枠１３は、四群レンズ２４を保持し、一端部に軸穴１３ａと他端部にガイド突起部１３ｂを有しており、固定枠２の内部後方に挿入される。軸穴１３ａにはフォーカシングユニット１８に配されるガイド軸５７が摺動可能に嵌入している。ガイド突起部１３ｂは、固定枠２の直進溝（図示せず）に摺動可能に嵌入している。
【００５６】
この四群枠１３は、フォーカシングユニット１８のフォーカシングアクチュエータによりギヤ列，送りネジを介してガイド軸５７に沿って撮影可能なフォーカシング位置および沈胴位置に光軸Ｏ方向に沿って進退駆動される。そして、四群枠１３が固定枠２の後端部の沈胴位置に繰り込まれた状態では、退避位置にある三群枠１０に保持された三群レンズ２３の側方の撮影光路側の空きスペ−スに収納される（図６）。
【００５７】
保持プレート１５は、開口部を有する金属板製の板状部材であり、固定枠２の後端面にビスおよび係止部によって固着される。さらに、保持プレート１５の後面側には保護ガラス、光学フィルタ２５、撮像素子２６よりなる撮像ユニットが取り付けられたセンサ基台１６が装着される。
【００５８】
そして、保持プレート１５の上記開口部の周辺には三群枠退避駆動カムである退避カム１４が光軸Ｏ方向前方に向けて直立した状態でインサート成形により一体的に配されている。この退避カム１４は、光軸Ｏ方向に対して傾斜面を有する退避カム面としてのカム面１４ａと、光軸Ｏ方向に沿った面で形成される退避位置保持壁面としての退避壁面１４ｂとを有している。
【００５９】
次に、上述した構成を有するレンズ鏡筒１の各鏡枠部材の進退動作および三群枠の退避動作について、図４〜６のレンズ鏡筒の断面図、および、図７（Ａ）〜（Ｄ），図８を用いて説明する。
【００６０】
図７（Ａ）〜（Ｄ）は、上記レンズ鏡筒の撮影状態から沈胴状態への切り換え時における三群枠の進入位置から退避位置への各移動状態を光軸Ｏ方向前方から見た図と同状態における光軸Ｏ方向に沿った断面図とをそれぞれ並べて示した図であって、図７（Ａ）は、撮影状態（回転枠３がテレ回転位置からワイド回転位置にある状態）における三群枠を示し、図７（Ｂ）は、退避動作が開始され、三群枠がシャッタ枠から離間した状態を示し、図７（Ｃ）は、三群枠の退避回動状態を示し、図７（Ｄ）は、三群枠の退避動作完了状態を示す。図８は、上記レンズ鏡筒の撮影状態から沈胴状態への切り換え時における三群枠の回転角に対するシャッタ枠と三群レンズ（退避レンズ）との光軸Ｏ方向の相対位置の変化を示した図である。
【００６１】
以下の動作説明では、レンズ鏡筒１が撮影可能なテレ状態（図４）にあるとし、その後、撮影可能なワイド状態（図５）を経て、沈胴途中の状態から撮影行わない状態である沈胴状態（図６）までの繰り込み動作（セットダウン動作）を説明する。なお、上記沈胴状態から撮影可能状態への繰り出し時（セットアップ動作時）には、上記繰り込み動作と逆の動作が行われるものとする。
【００６２】
いま、図４に示すようにレンズ鏡筒１がテレ状態（撮影可能）にあって、回転枠３がテレ回動位置にあるとき、カムフォロア３ａが固定枠２のカム溝２ａの前方側の円周溝部に嵌入しており、回転枠３は、移動枠４と共に繰り出されている。カム枠５は、移動枠４のカム溝４ｃにより位置決めされ、回転枠３よりさらに前方に繰り出されている。一群枠１２と二群枠１１もそれぞれカム枠５のカム溝５ｂと５ａによりテレ位置に繰り出されている。
【００６３】
また、上記テレ状態では三群用直進枠７は、回転枠３のカム溝３ｄにより繰り出されており、シャッタ枠９と共にテレ位置に位置決めされている（図４）。また、三群枠１０は、回転駆動部材３５のカムフォロア３５ｃが退避カム１４と離間しているので、回転付勢バネ５３の付勢力により反時計回りに回動された回動角θ0 の進入位置にあり（図８）、三群レンズ２３が撮影光路内に進入している（図７（Ａ））。この状態では、光軸Ｏと三群レンズ２３の光軸Ｏａとが一致している。
【００６４】
また、三群枠１０の端面カム部１０ｄの第一カム面１０ｅが三群用直進枠７の突起部７ｄに当接しており、三群枠１０は、光軸Ｏ方向前方に移動している。従って、三群レンズ２３の前面部およびレンズ開口絞り１０ｋがシャッタ枠９のシャッタ羽根５４に極めて接近して位置する（図７（Ａ））。
【００６５】
ここで、図７（Ａ）を用いて、三群枠１０が進入位置にあるときの三群枠１０とシャッタ枠９との光軸方向の位置関係について詳述する。シャッタ枠９は、その開口９ａを開閉するシャッタ羽根５４が光軸Ｏを含み、その周囲に配されている。ここで、このシャッタ羽根５４が配される面を基準面９ｂとする。この基準面９ｂを底面とし、光軸Ｏを中心としてその周囲に三群枠１０が近接して位置することが可能なように三群枠収容空間（退避枠収容空間）９ｃが形成されている。このようにシャッタ枠９の三群枠１０に対向する側の形状は、三群枠収容空間９ｃ、突出部９からなり、全体として凹形状となっている。そして、三群枠１０が進入位置にあるとき、三群枠収容空間９ｃ内に位置する。
【００６６】
一方、三群枠収容空間９ｃの周囲には、上記基準面９ｂよりも光軸方向で三群枠１０側に突出した突出部９ｄが形成されている。なお、一般的にシャッタ羽根５４を摺動可能に保持するために、上述のように光軸Ｏを中心として光路の周囲に上記基準面９ｂよりも三群枠１０側に突出する突出部９ｄが形成される。
【００６７】
従って、図７（Ａ）に示すように三群枠１０が三群枠収容空間９ｃ内に位置する状態から三群枠１０とシャッタ枠９との光軸方向の相対位置を離間させない状態で三群枠１０を退避位置へと移動させようとすると、三群枠１０と上記突出部９ｄとが干渉することになる。
【００６８】
なお、上述のようにシャッタ羽根５４をレンズ開口絞り１０ｋに接近させて位置決めすることより、シャッタ羽根５４の開閉時における光軸Ｏ上と光軸Ｏ外との光量ムラ発生を防ぐことができ、シャッタの特性を高めることができる。
【００６９】
四群枠１３は、フォーカシングユニット１８により上記テレ状態に対応したフォーカシング位置に進退駆動される。
【００７０】
続いて、レンズ鏡筒１をワイド状態に切り換えるには、ズーミングユニット１７によりロングギヤ４５を介して回転枠３をワイド回転位置まで回転駆動する。カム枠５も回転しながら繰り込まれる。上記カム枠５の回転に伴って、図５に示すように一群枠１２と、二群枠１１とは繰り込まれ、それぞれのワイド位置に移動する。三群用直進枠７は、回転枠３の回転に伴ってシャッタ枠９と共にワイド位置に繰り込まれる。
【００７１】
三群用直進枠７が上述のようにワイド位置に繰り込まれても三群枠１０は、回転駆動部材３５のカムフォロア３５ｃが退避カム１４と離間しており、上記テレ位置の状態と変わらず進出位置に位置している。一方、シャッタ枠９は、三群用直進枠７に固定支持されているので、三群レンズ２３の前面部もテレ状態の場合と同様にシャッタ枠９のシャッタ羽根５４に極めて接近した状態を維持している（図７（Ａ））。このように撮影位置でるテレ位置からワイド位置の間では三群枠１０は進入位置にあり、三群枠収容空間９ｃ内に位置している。
【００７２】
四群枠１３は、フォーカシングユニット１８により上記ワイド状態に対応したフォーカシング位置に進退駆動される。
【００７３】
レンズ鏡筒１を沈胴状態にセットダウンする場合、図５のワイド状態から図６の沈胴状態に向けて繰り込み動作が行われる。詳しくは、図５のワイド状態にあるとき、さらにズーミングユニット１７により回転枠３を反時計回りに回転駆動する。この回転駆動により回転枠３は、回転しながら繰り込み方向に移動する。
【００７４】
回転枠３のワイド回転位置からの回転に伴ってカム枠５を介して一群枠１２および二群枠１１が繰り込み方向に移動する。同時に三群用直進枠７もシャッタ枠９および三群枠１０とともに繰り込み方向に変位する。
【００７５】
上述の三群用直進枠７の繰り込み移動にともなって、まず、回転駆動部材３５のカムフォロア３５ｃが退避カム１４のカム面１４ａと当接する（係合）。そして、三群枠１０は、カム面１４ａによって進出位置である回動角（回動位置）θ0 の位置から時計回りの撮影光路から退避する方向への回動を開始する。
【００７６】
三群枠１０が回動角θ1 の位置まで回動すると、三群用直進枠７の突起部７ｄは、端面カム部１０ｄの第二カム面１０ｆに当接する。その後、三群枠１０は、回動しながら第二カム面１０ｆにより三群用直進枠７に対して相対的に後退駆動される。言い換えると、シャッタ枠９に対して相対的に後退方向に移動して、シャッタ枠９から離間し始める。
【００７７】
三群枠１０が回動角θ2 の位置まで回動して突起部７ｄが平坦面１０ｇに到達した状態では、三群枠１０は、シャッタ枠９に対して相対的に光軸Ｏ後方側に位置しており、三群レンズ２３の前面がシャッタ羽根５４に対して後方側に所定距離離間した状態となる（図７（Ｂ），図８）。この離間状態では、三群枠１０は、シャッタ枠９と干渉することなく時計回りの退避方向の回動が可能である。即ち、三群枠１０はシャッタ枠９の突出部９ｄから光軸方向で離間した位置となっている。なお、三群枠１０の回動角θ0 〜θ2 までの間では三群枠１０は光軸に直交する平面内で三群枠収容空間９ｃの範囲内に位置している。従って、この回転角θ0 〜θ2 までの間では三群枠１０とシャッタ枠９の突出部９ｄと干渉することがない。
【００７８】
その後、回転枠３のさらなる沈胴方向（反時計回り）の回転によって、三群用直進枠７がさらに繰り込まれ、退避カム１４のカム面１４ａによって三群枠１０が退避方向に回動駆動される。この回動駆動期間中、突起部７ｄは、平坦面１０ｇ上にあって三群枠１０のシャッタ枠９に対する光軸Ｏ方向の相対移動はない（図７（Ｃ））。
【００７９】
三群枠１０が回動角θ3 の位置まで回動すると（図８）、突起部７ｄが端面カム部１０ｄの平坦面１０ｇを経て第三カム面１０ｈに当接する状態となる。
【００８０】
その後の三群枠１０のカム面１４ａによるさらなる退避方向の回動に伴って、三群枠１０は、第三カム面１０ｈによりシャッタ枠９に対して相対的に光軸Ｏ前方に駆動される。
【００８１】
回転枠３が沈胴位置まで回転すると（図６）、三群用直進枠７も沈胴位置まで繰り込まれ、カムフォロア３５ｃが退避カム１４の退避壁面１４ｂに到達する。三群枠１０は、回動角θ4 の位置まで回動し、完全に撮影光路外の位置に到達し、退避方向への回動動作が終了する（図８）。同時に突起部７ｄが第三カム面１０ｈを経て第四カム面１０ｉに達するので、三群枠１０は、三群レンズ２３の前面部が光軸Ｏ方向でシャッタ羽根５４より前方に位置する収納位置（退避位置）に到達する（図７（Ｄ））。
【００８２】
図７（Ｄ）を用いて、三群枠１０が収納位置にあるときのシャッタ枠９と三群枠１０との位置関係について詳述する。
【００８３】
シャッタ枠９の突出部９ｄの周囲には、基準面９ｂよりも三群枠１０から離間した方向に空間を有する三群枠退避空間９ｅが形成されている。即ち、シャッタ羽根５４の駆動のために必要となる突出部９ｄを避けた位置に、基準面９ｂよりも三群枠１０から離間する側に形成された三群枠退避空間９ｅが形成されている。そしてこの三群枠退避空間９ｅ内に三群枠１０を位置させている。このように三群枠１０が退避位置にあるときに、三群枠１０とシャッタ枠９との光軸方向の間隔を撮影位置にあるときに比して近接して配置することができる。これにより、退避位置にあるときのレンズ鏡筒の光軸方向寸法の短縮を図ることができる。
【００８４】
なお、回転枠３の沈胴位置まで回転すると、他の枠部材である移動枠４，カム枠５，直進ガイド枠６，一群枠１２，二群枠１１，四群枠１３もそれぞれの沈胴位置に移動し、沈胴動作を終了する（図６）。
【００８５】
上述したように本実施形態のレンズ鏡筒１によれば、三群枠１０のレンズ保持部のレンズ開口絞り１０ｋに近接させて退避レンズである三群レンズ２３を配置することにより三群レンズ２３の小径化が可能であり、三群枠１０を撮影光路から退避させる時の回動角を減らすことができる。また、これに伴って退避スペースを減じることができる。
【００８６】
詳しくは、一般に光学系の開口絞り位置では全ての光線束の径が最も小さくなっているので、開口絞り位置近傍に配される退避レンズの径も小さくすることができる。従って、開口絞り位置近傍に光路外へと退避する退避光学要素の三群レンズ２３を配置することにより、三群枠１０の退避回動角が小さくなり、また、退避スペースも小さくなる。
【００８７】
さらに、撮影状態（テレ，ワイド状態）にて三群レンズ２３が進入位置にあるときには、上述のようにレンズ開口絞り１０ｋに近くに配される該三群レンズ２３をシャッタ枠９のシャッタ羽根５４の後面部に極めて接近するように三群枠１０を移動させることができる。このような配置により光量ムラ発生を防ぎ、シャッタの特性を高め、撮影光学系上、良好な状態が得られる。
【００８８】
また、レンズ鏡筒１を沈胴状態に切り換えるとき、三群枠１０を上記進出位置から退避位置に移行させるが、その退避回動動作時において、三群枠１０の軸支ボス部１０ａに設けられた端面カム部１０ｄの作用により、一旦、三群枠１０をシャッタ枠９の突出部９ｄと干渉しないような位置まで離間させることができる。
【００８９】
その後、撮影光路からの退避位置への回動を行い、同時に、退避レンズである三群レンズ２３の前面をシャッタ羽根５４の側方であって、光軸Ｏ方向では前方に位置させるようにしてシャッタ枠９の側方の収納位置である三群枠退避空間９ｅ内に三群枠１０を収納することが可能であり、該三群枠１０を三群用直進枠７内に空きスペースに収納効率よく納めることができる。
【００９０】
また、上述したように本実施の形態では、第二カム面１０ｆのリード角は、第三カム面１０ｈのリード角よりも大きい。これにより、三群枠１０の退避動作の初期段階で三群枠１０とシャッタ枠９とを離間させることができる。従って、三群枠収容空間９ｃを小さくすることができる。なお、本実施の形態では第二カム面１０ｆと第三カム面１０ｈとのリード角を上記のように設定したが、三群枠収容空間９ｃと三群枠退避空間９ｅとの大きさによっては第二カム面１０ｆと第三カム面１０ｈとのリード角を同じか、または、本実施の形態とは逆にしても良い。
【００９１】
このように本実施形態によれば、レンズ鏡筒の収納状態（沈胴状態）への移行をスムーズに行うと共に、各鏡枠部材の沈胴状態での効果的な収納を可能することができる。また、退避動作時に退避枠である三群枠とこれに隣接するシャッタ枠とを離間させることができるので撮影状態での両者の光軸方向間隔を適切にすることができる。また、レンズ鏡筒の光軸Ｏ方向の長さの短縮と、コンパクト化を可能とする。
【００９２】
次に、本発明の第二の実施形態のレンズ鏡筒について、図９〜１１を用いて説明する。
【００９３】
図９は、上記レンズ鏡筒を構成する二群枠とシャッタ・３群ユニットと分解斜視図である。図１０は、上記シャッタ・３群ユニットを構成する三群用直進枠のカム部の斜視図である。図１１（Ａ）〜（Ｄ）は、上記レンズ鏡筒の撮影状態から沈胴状態への切り換え時における三群枠の進入位置から退避位置への各移動状態を光軸Ｏ方向前方から見た図と同一状態における光軸Ｏ方向に沿った断面図とを並べて示した図であって、図１１（Ａ）は、撮影状態における三群枠を示し、図１１（Ｂ）は、退避動作が開始され、三群枠がシャッタ枠から離間した状態を示し、図１１（Ｃ）は、三群枠の退避回動状態を示し、図１１（Ｄ）は、三群枠の退避動作完了状態を示す。
【００９４】
本実施形態のレンズ鏡筒は、第一の実施形態のレンズ鏡筒に対して三群枠退避駆動機構の構成が異なるものであり、他の構成は、第一の実施形態の場合と同様である。以下、異なる部分について説明する。なお、第一の実施形態の場合と同一の構成部材には同一の符号を付して説明する。
【００９５】
本実施形態のレンズ鏡筒には、図９に示す二群枠１１Ａとシャッタ・三群ユニット３１Ａとが適用される。
【００９６】
本実施形態の二群枠１１Ａも第一の実施形態と同様に円筒状部材であって、直進ガイド枠６の内周部に嵌入され、回転規制された状態でカム枠５によりカムフォロア４３を介して進退駆動される。
【００９７】
二群枠１１Ａには第一の実施形態の二群枠１１と異なり、図９に示すようにその外周部に後方に向けて突出する形状の退避カム１１Ａｂが設けられている。
【００９８】
退避カム１１Ａｂには先端部に傾斜面からなる退避カム面としてのカム面１１Ａｃと、側面部に光軸Ｏ方向に沿った退避位置保持壁面としての退避壁面１１Ａｄとが設けられる。なお、本実施形態においては、保持プレート１５には退避カム１４は設けられていない。
【００９９】
本実施形態のシャッタ・三群ユニット３１Ａも図９に示すように支持部材である三群用直進枠７Ａと、該直進枠７Ａに固定支持される押さえ板部材８および変位枠であるシャッタ枠９と、三群レンズ２３を保持する退避枠である三群枠１０Ａと、支持軸５２と、トーションバネである回転付勢バネ５３と、軸方向付勢バネ３６とからなる。なお、本実施形態では回転駆動部材３５は不要である。なお、三群レンズ２３のシャッタ枠９に対向する側の面は凸形状となっている。また、シャッタ枠９は、全体として三群枠１０Ａに対向する側の形状が三群枠収容部９ｃ、突出部９ｄにより凹形状となっている。
【０１００】
三群用直進枠７Ａも移動枠４の内方部に挿入され、該移動枠４により回転規制され、かつ、回転枠３によりカムフォロア４２を介して進退駆動される枠部材である。
【０１０１】
この三群用直進枠７Ａには第一の実施形態の三群用直進枠７と異なり、突起部７ｄに代えて、軸支持穴７ｃの前面側（三群枠１０Ａ側）外方に駆動手段（カム手段）としての円筒端面凸状の端面カム部７Ａｄが設けられている。
【０１０２】
端面カム部７Ａｄは、撮影状態（進入位置）におけるシャッタ枠９と三群枠１０Ａの間隔を規定するための平坦面（光軸Ｏと直交する面）からなる第一のカム部である第一カム面７Ａｅと、退避駆動に際してシャッタ枠９と三群枠１０Ａとを離間させるための第二のカム部である第二カム面７Ａｆと、三群枠１０Ａの退避回動時のシャッタ枠９と三群枠１０Ａの間隔を維持するための光軸Ｏと直交する平面からなる平坦面７Ａｇと、上記三群枠１０Ａの退避回動後、三群枠１０Ａをシャッタ枠９に接近させるための第三のカム部である第三カム面７Ａｈと、沈胴状態（退避位置）におけるシャッタ枠９と三群枠１０Ａの間隔を規定するための平坦面（光軸Ｏと直交する面）からなる第四のカム部である第四カム面７Ａｉとからなる。
【０１０３】
なお、第二カム面７Ａｆのリード角は、第三カム面７Ａｈのリード角よりも大きい。これは、三群枠１０Ａの退避動作時に三群枠１０Ａを速やかにシャッタ枠９から離間させるためである。
【０１０４】
三群枠１０Ａは、三群レンズ２３を保持するレンズ保持部と該レンズ保持部に連結される軸受け部である軸支ボス部１０Ａａを有し、三群用直進枠７Ａにより支持軸５２を介して回転、進退可能に支持されている。そして、三群レンズ２３が光軸Ｏ上の撮影光路に進入した進出位置（図１１（Ａ））と該撮影光路から退避した退避位置（図１１（Ｄ））とに回動駆動され、かつ、上記回動駆動時にシャッタ枠９に対して相対的に光軸Ｏ方向にも進退駆動される。
【０１０５】
この三群枠１０Ａには第一の実施形態の三群枠１０と異なり、軸受け部である軸支ボス部１０Ａａの側方にカムフォロア１０Ａｃが設けられ、さらに、端面カム部１０ｄに代えて軸支ボス部１０Ａａの後方側（端面カム部７Ａ側）の側方に駆動手段（カム手段）としての突起状のカムフォロア１０Ａｄが設けられる（図９）。
【０１０６】
三群枠１０Ａの軸支ボス部１０Ａａの前端面側（端面カム部７Ａとは相反する側）には三群枠１０Ａを光軸Ｏ方向後方に向けて付勢する軸方向付勢バネ３６が挿入されている。さらに、該軸支ボス部１０Ａａの後方外周部には三群枠１０Ａを反時計回り（進出位置方向）に付勢する回転付勢バネ５３が挿入されている。
【０１０７】
カムフォロア１０Ａｃは、レンズ鏡筒の沈胴駆動時に二群枠１１Ａが繰り込まれるとき、二群枠１１Ａの退避カム１１Ａｂのカム面１１Ａｃが当接し、回転付勢バネ５３の付勢力に抗して三群枠１０Ａを退避方向（時計回り）に回動駆動する。
【０１０８】
カムフォロア１０Ａｄは、軸方向付勢バネ３６の付勢力により三群用直進枠７Ａの端面カム部７Ａｄに当接しており、カムフォロア１０Ａｄを介して三群枠１０Ａが退避回動駆動時に三群用直進枠７Ａおよびシャッタ枠９に対して相対的に光軸Ｏ方向に進退駆動される。
【０１０９】
上述した三群枠１０Ａの回動動作に伴う光軸Ｏ方向の移動により、三群枠１０Ａは、そのレンズ保持部がシャッタ枠９と接触するのを避けながら三群枠１０Ａの撮影光路進入位置から退避位置へ退避駆動される。この三群枠１０Ａの退避動作の詳細について、次に説明する。
【０１１０】
上述した構成を有する第二の実施形態のレンズ鏡筒の三群枠の退避動作について、図１０，図１１（Ａ）〜（Ｄ）を用いて説明する。
【０１１１】
なお、図４〜６の各状態でのレンズ鏡筒の断面図と図８の退避時のシャッタ枠と三群レンズとの相対位置の変化を示す図は、本来、第一の実施形態の場合を示すが、本実施形態のレンズ鏡筒の場合も同様に状態が変化するので該図４〜６，８も併用して以下の説明を行う。
【０１１２】
本実施形態のレンズ鏡筒の繰り込み動作（セットダウン動作）については、三群枠以外の各枠部材が第一の実施形態のレンズ鏡筒１の場合と同様に撮影可能なテレ状態（図４）からワイド状態（図５）を経て、撮影行わない状態である沈胴状態（図６）まで繰り込まれる。そして、ワイド状態から沈胴状態に向けての繰り込み動作時、以下に示す三群枠１０Ａの退避動作が実行される。
【０１１３】
なお、本実施形態のレンズ鏡筒においても上記退避動作を含み沈胴状態から撮影可能状態への繰り出し時（セットアップ動作時）には、上記繰り込み動作の逆の動作が実行される。
【０１１４】
本実施形態のレンズ鏡筒が撮影可能なテレ状態およびワイド状態にあるときは、三群枠１０Ａは、カムフォロア１０Ａｃが二群枠１１Ａの退避カム１１Ａｂと離間しているので、三群枠１０Ａは回転付勢バネ５３の付勢力により反時計回りに回動され、三群レンズ２３が撮影光路内に進入した進出位置（回動角θ0 の位置）にある（図８）。この状態では、光軸Ｏと三群レンズ２３の光軸Ｏａとが一致している（図１１（Ａ））。
【０１１５】
三群枠１０Ａが上記進出位置に位置しているときは、三群枠１０Ａのカムフォロア１０Ａｄが三群用直進枠７Ａの端面カム部７Ａｄの第一のカム面７Ａｅと当接している。従って、三群枠１０Ａは、光軸Ｏ方向前方に移動しており、三群レンズ２３の前面部およびレンズ開口絞り１０ｋがシャッタ枠９のシャッタ羽根５４に極めて接近している（図１１（Ａ））。このように三群枠１０Ａはシャッタ枠９の三群枠収容空間９ｃ内に位置している。
【０１１６】
本実施形態のレンズ鏡筒を沈胴状態にセットダウンする場合、回転枠３がワイド回転位置から反時計回りに回転駆動されと、図５のワイド状態から図６の沈胴状態に向けての繰り込み動作が行われる。
【０１１７】
回転枠３の沈胴位置への反時計回りの回転に伴ってカム枠５を介して一群枠１２および二群枠１１Ａが繰り込み方向に移動する。同時に三群用直進枠７Ａもシャッタ枠９および三群枠１０Ａとともに繰り込み方向に変位する。
【０１１８】
上述の二群枠１１Ａと三群用直進枠７Ａの繰り込み移動に伴って、二群枠１１Ａと三群用直進枠７Ａとの相対位置が接近する。その接近によって二群枠１１Ａの退避カム１１Ａｂのカム面１１Ａｃが三群枠１０Ａのカムフォロア１０Ａｃに当接する（係合）。そして、カム面１１Ａｃにより三群枠１０Ａの撮影光路から退避する退避方向（時計回り）へ回転付勢バネ５３の付勢力に抗して回動駆動が開始される。
【０１１９】
三群枠１０Ａが回動角θ1 の位置に達すると、三群枠１０Ａのカムフォロア１０Ａｄが三群用直進枠７Ａの端面カム７Ａｄの第二カム面７Ａｆに当接する。その後、三群枠１０Ａは、回動しながら第二カム面７Ａｆによりシャッタ枠９に対して相対的に後退方向に駆動される。
【０１２０】
。
【０１２１】
三群枠１０Ａが回動角θ2 の位置まで回動してカムフォロア１０Ａｄが端面カム７Ａｄの平坦面７Ａｇに到達したときは、三群枠１０Ａは、シャッタ枠９に対して相対的に光軸Ｏ後方側に移動し、三群レンズ２３の前面がシャッタ羽根５４に対して後方側に所定距離離間した状態となる（図７（Ｂ），図８）。この離間状態では、三群枠１０Ａは、シャッタ枠９と干渉することなく時計回りの退避方向の回動が可能である。即ち、三群枠１０Ａはシャッタ枠９の突出部９ｄから光軸方向で離間した位置となっている。なお、三群枠１０Ａの回動角θ0 〜θ2 までの間では三群枠１０Ａは光軸に直交する平面内で三群枠収容空間９ｃの範囲内に位置している。従って、この回転角θ0 〜θ2 までの間では三群枠１０Ａとシャッタ枠９の突出部９ｄと干渉することがない。
【０１２２】
その後、回転枠３のさらなる沈胴方向（反時計回り）の回転により二群枠１１Ａおよび三群用直進枠７Ａがさらに繰り込まれ、相対位置が接近する。その接近により退避カム１１Ａｂのカム面１１Ａｃによって三群枠１０Ａは、さらに退避方向に回動駆動される。この回動駆動期間中、カムフォロア１０Ａｄは、平坦面７Ａｇ上にあって三群枠１０Ａの三群用直進枠７Ａに対する光軸Ｏ方向の相対移動はない（図１１（Ｃ））。
【０１２３】
三群枠１０Ａが回転角θ3 の位置まで回転すると（図８）、カムフォロア１０Ａｄが端面カム７Ａｄの平坦面７Ａｇを経て第三カム面７Ａｈに当接する状態となる。
【０１２４】
その後の三群枠１０Ａのカム面１１Ａｃによるさらなる退避方向に回動によって、三群枠１０Ａは、第三カム面７Ａｈによりシャッタ枠９に対して相対的に光軸Ｏ前方に駆動され、三群枠１０Ａがシャッタ枠９に対して光軸方向で相対的に近接する。
【０１２５】
回転枠３が沈胴位置まで回転すると（図６）、二群枠１１と三群用直進枠７Ａも沈胴位置まで繰り込まれ、カムフォロア１０Ａｃが退避カム１１Ａｂの退避壁面１１Ａｄに到達するので、三群枠１０Ａは、回転角θ4 の位置まで回動する。
【０１２６】
そして、三群枠１０Ａの三群レンズ２３が完全に撮影光路外の位置に到達し、退避方向への回動動作が終了する（図８）。同時にカムフォロア１０Ａｄが第三カム面７Ａｈから第四カム面７Ａｉに達するので、三群枠１０Ａは、三群レンズ２３が光軸Ｏ方向でシャッタ羽根５４位置よりも前方に位置する収納位置（退避位置）に到達する（図１１（Ｄ））。このように本実施の形態においても、突出部９ｄと干渉することなく、基準面９ｂよりも三群枠１０Ａから離間した方向に形成される三群枠退避空間９ｅ内に三群枠１０Ａを退避させることができる。
【０１２７】
なお、回転枠３の回転角θ4 への回転に伴って、他の枠部材である移動枠４，カム枠５，直進ガイド枠６，一群枠１２，二群枠１１Ａ，四群枠１３もそれぞれの沈胴位置に移動し、沈胴動作を終了する（図６）。
【０１２８】
上述した本実施形態のレンズ鏡筒においても、第一の実施形態のレンズ鏡筒１と同様の効果を奏する。特に本実施形態のレンズ鏡筒の場合は、第一の実施形態で適用した回転駆動部材３５を用いる必要がなく、構成が簡単である。また、退避カム１１Ａｂが二群枠１１Ａに設けられているので撮像素子側の保持プレート１５を装着しない状態のレンズ鏡筒のみで三群枠１０Ａの退避駆動状態を確認することが可能である。
【０１２９】
次に、本発明の第三の実施形態のレンズ鏡筒について図１２〜１５を用いて説明する。
【０１３０】
図１２は、上記レンズ鏡筒を構成する二群枠とシャッタ・３群ユニットと分解斜視図である。図１３は、上記シャッタ・３群ユニットを構成する三群用直進枠に設けられる端面カム部の斜視図である。図１４（Ａ）〜（Ｄ）は、上記レンズ鏡筒の撮影状態から沈胴状態への切り換え時における三群枠の進入位置から退避位置への各移動状態を光軸Ｏ方向前方から見た図と同一状態における光軸Ｏ方向に沿った断面図とを並べて示した図であって、図１４（Ａ）は、撮影状態における三群枠を示し、図１４（Ｂ）は、退避動作開始され、三群枠がシャッタ枠から離間した状態を示し、図１４（Ｃ）が三群枠の退避回動状態を示し、図１４（Ｄ）が三群枠の退避動作完了状態を示す。図１５は、上記レンズ鏡筒の撮影状態から沈胴状態への切り換え時における三群枠の回動角に対するシャッタ枠と三群レンズとの光軸Ｏ方向の相対位置の変化を示す図である。
【０１３１】
本実施形態のレンズ鏡筒は、第一の実施形態のレンズ鏡筒に対して三群枠退避駆動機構の構成が異なるものであり、他の構成は、第一の実施形態の場合と同様である。以下、異なる部分について説明する。なお、第一の実施形態の場合と同一の構成部材には同一の符号を付して説明する。
【０１３２】
本実施形態のレンズ鏡筒には、図１２に示す二群枠１１Ｂとシャッタ・三群ユニット３１Ｂとが適用される。
【０１３３】
本実施形態の二群枠１１Ｂも第一の実施形態と同様に円筒状部材であって、直進ガイド枠６の内周部に嵌入され、回転規制された状態でカム枠５によりカムフォロア４３を介して進退駆動される。
【０１３４】
二群枠１１Ｂには第一の実施形態の二群枠１１と異なり、図１２に示すようにその外周部に後方に向けて突出する形状の退避カム１１Ｂｂが設けられている。
【０１３５】
退避カム１１Ｂｂには先端部に傾斜面からなる退避カム面としてのカム面１１Ｂｃと、側面部に光軸Ｏ方向に沿った退避位置保持壁面としての退避壁面１１Ｂｂとが設けられる。
【０１３６】
なお、本実施形態においては、保持プレート１５には退避カム１４は設けられていない。
【０１３７】
本実施形態のシャッタ・三群ユニット３１Ｂは、図１２に示すように支持部材である三群用直進枠７Ｂと、該直進枠７Ｂに固定支持される押さえ板部材８Ｂおよび変位枠であるシャッタ枠９と、三群レンズ２３を保持する退避枠である三群枠１０Ｂと、支持軸５２と、トーションバネである回転付勢バネ５３と、軸方向付勢バネ３６とからなる。なお、本実施形態では回転駆動部材３５は不要である。また、三群レンズ２３のシャッタ枠９に対向する側の面は凸形状となっている。また、シャッタ枠９は、全体として三群枠１０Ｂに対向する側の形状が三群枠収容部９ｃ、突出部９ｄにより凹形状となっている。
【０１３８】
三群用直進枠７Ｂは、移動枠４の内方部に挿入され、該移動枠４により回転規制され、かつ、回転枠３によりカムフォロア４２を介して進退駆動される枠部材である。
【０１３９】
この三群用直進枠７Ｂには第一の実施形態の三群用直進枠７と異なり、突起部７ｄが配されていない。
【０１４０】
押さえ板部材８Ｂには第一の実施形態の押さえ板部材８と異なり、軸支穴８ａの近傍に後方側（三群枠１０Ｂ側）に突出する突起部８Ｂｂが設けられる。
【０１４１】
三群枠１０Ｂは、三群レンズ２３を保持するレンズ保持部と、該レンズ保持部に連結される軸受け部である軸支ボス部１０Ｂａとを有しており、三群用直進枠７Ｂにより支持軸５２を介して回転、進退可能に支持されている。そして、三群レンズ２３が光軸Ｏ上の撮影光路内に進入した進出位置（図１４（Ａ））と該撮影光路外に退避した退避位置（図１４（Ｄ））とに回動駆動され、かつ、シャッタ枠９に対して光軸Ｏ方向に進退移動する。
【０１４２】
この三群枠１０Ｂには第一の実施形態の三群枠１０と異なり、後端面の端面カム部１０ｄに代えて軸支ボス部１０Ｂａの前端面側（突起部８ｂ側）に三群枠の光軸Ｏ方向位置設定部として段差部１０Ｂｄが設けられる。該段差部１０Ｂｄは、押さえ板部材８Ｂの突起部８ｂと当接可能であって、三群枠１０Ｂの進出位置におけるシャッタ枠９との光軸Ｏ方向相対位置を決める進出位置規制用平坦面１０Ｂｅと、段差を介して該平坦面１０Ｂｅよりも後方側に形成され、三群枠１０Ｂの退避位置におけるシャッタ枠９との光軸Ｏ方向相対位置を決める退避位置規制用平坦面１０Ｂｆとからなる。
【０１４３】
さらに、三群枠１０Ｂには軸支ボス部１０Ｂａの外周面に突出するカムフォロア１０Ｂｃが設けられる（図１２）。カムフォロア１０Ｂｃは、二群枠１１Ｂの退避カム１１Ｂｂと当接可能である。
【０１４４】
三群枠１０Ｂの軸支ボス部１０Ｂａには、第一の実施形態の場合と異なり、後方側の三群用直進枠７Ｂとの間に軸方向付勢バネ３６が挿入されている。この軸方向付勢バネ３６により、三群枠１０Ｂはシャッタ枠９に向けて付勢されている。さらに、前方外周部に回転付勢バネ５３が挿入されている。
【０１４５】
三群枠１０Ｂが二群枠１１Ｂの退避カム１１Ｂｂと当接した状態のもとで、回転付勢バネ５３の反時計回りの付勢力によって退避カム１１Ｂｂのカム面１１Ｂｃを介して三群枠１０Ｂが受ける光軸Ｏ方向の付勢力は、軸方向付勢バネ３６による光軸Ｏ方向の付勢力よりも大きく設定されている。
【０１４６】
従って、レンズ鏡筒の沈胴駆動時に二群枠１１Ｂが繰り込まれるとき、カムフォロア１０Ｂｃが二群枠１１Ｂの退避カム１１Ｂｂのカム面１１Ｂｃが当接し、三群枠１０Ｂが押圧された場合、まず、軸方向付勢バネ３６の方が撓み、軸支ボス部１０Ｂａの端面が三群用直進枠７Ｂの底面に当接するまで三群枠１０Ｂは回動することなく軸方向に移動する。該底面当接後、三群枠１０Ｂは、退避カム１１Ｂｂのカム面１１Ｂｃにより回転付勢バネ５３の付勢力に抗して退避方向（時計回り）に回動駆動される。
【０１４７】
上述した三群枠１０Ｂの光軸Ｏ方向の移動と回動動作により、三群枠１０Ｂは、そのレンズ保持部がシャッタ枠９と接触するのを避けながら撮影光路進入位置から退避位置へ退避駆動される。この三群枠１０Ｂの退避動作の詳細について、次に説明する。
【０１４８】
上述した構成を有する第三の実施形態のレンズ鏡筒の三群枠の退避動作について、図１３，１４（Ａ）〜（Ｄ），１５を用いて説明する。
【０１４９】
なお、図４〜６の各状態でのレンズ鏡筒の断面図は、本来、第一の実施形態の場合を示すが、本実施形態のレンズ鏡筒の場合も同様に状態変化するので該図４〜６も併用して以下の説明を行う。
【０１５０】
本実施形態のレンズ鏡筒の繰り込み動作（セットダウン動作）については、三群枠以外の各枠部材が第一の実施形態のレンズ鏡筒１の場合と同様に撮影可能なテレ状態（図４）からワイド状態（図５）を経て、撮影を行わない状態である沈胴状態（図６）まで繰り込まれる。そして、ワイド状態から沈胴状態に向けての繰り込み動作時、以下の示す三群枠１０Ｂの退避動作が実行される。
【０１５１】
なお、本実施形態のレンズ鏡筒においても上記退避動作を含み沈胴状態から撮影可能状態への繰り出し時（セットアップ動作時）には、上記繰り込み動作の逆の動作が実行される。
【０１５２】
本実施形態のレンズ鏡筒が撮影可能なテレ状態およびワイド状態にあるときは、三群枠１０Ｂは、カムフォロア１０Ｂｃが二群枠１１Ｂの退避カム１１Ｂｂと離間しているので、回転付勢バネ５３の付勢力により三群枠１０Ｂは反時計回りに回動しており、三群レンズ２３が撮影光路内に進入した進出位置（回動角θ10の位置）にある（図１５）。この状態では、光軸Ｏと三群レンズ２３の光軸Ｏａとが一致している（図１４（Ａ））。
【０１５３】
三群枠１０Ｂが上記進出位置に位置しているとき、押さえ板部材８Ｂの突起部８Ｂｂが三群枠１０Ｂの進出位置規制用平坦面１０Ｂｅ上に当接した状態に保持される。従って、三群枠１０Ｂは、シャッタ枠９に対して相対的に光軸Ｏ方向前方に移動しており、三群レンズ２３の前面部およびレンズ開口絞り１０ｋがシャッタ枠９のシャッタ羽根５４に極めて接近した位置に保持される（図１４（Ａ））。このように三群枠１０Ｂはシャッタ枠９の三群枠収容空間９ｃ内に位置している。
【０１５４】
本実施形態のレンズ鏡筒を沈胴状態にセットダウンする場合、回転枠３が反時計回りに回転駆動され、図５のワイド状態から図６の沈胴状態に向けて繰り込み動作が行われる。
【０１５５】
回転枠３の上記反時計回りの回転に伴ってカム枠５を介して一群枠１２および二群枠１１Ｂが繰り込み方向に移動する。同時に三群用直進枠７Ｂもシャッタ枠９および三群枠１０Ｂとともに繰り込み方向に移動する。
【０１５６】
上述の二群枠１１Ｂと三群用直進枠７Ｂの繰り込み移動に伴って、二群枠１１Ｂと三群用直進枠７Ｂとの相対位置が接近する。その接近動作によって二群枠１１Ｂの退避カム１１Ｂｂのカム面１１Ｂｃが三群枠１０Ｂのカムフォロア１０Ｂｃに当接（係合）する。
【０１５７】
しかし、三群枠１０Ｂの軸支ボス部１０Ｂａを光軸Ｏ方向前方に付勢する軸方向付勢バネ３６の付勢力が回転付勢バネ５３がカム面１１Ｂｃを介して軸支ボス部１０Ｂａを光軸Ｏ方向後方に付勢する力より弱い。従って、三群枠１０Ｂは、上記進入位置の回転角度θ10を保ったまま、すなわち、回転しない状態でシャッタ枠９に対して光軸Ｏ方向（後方）に離間するように移動する（図１５）。
【０１５８】
その後、三群枠１０Ｂの軸支ボス部１０Ｂａの後端面が三群用直進枠７Ｂの底面に当接し、三群枠１０Ｂの後方への後退が停止する。この状態では、三群レンズ２３の前面がシャッタ羽根５４に対して後方側に所定距離だけ離間している（図１４（Ｂ）、図８）。従って、この離間状態で三群枠１０Ｂが退避方向に回動してもシャッタ枠９の突出部９ｄと干渉することがなく、三群枠１０Ｂの退避方向への回動が可能な状態になる。なお、この状態では、押さえ板部材８Ｂの突起部８Ｂｂは、三群枠１０Ｂの進出位置規制用平坦面１０Ｂｅと離間した状態になる。三群レンズ２３の光軸Ｏａは、撮影光軸Ｏに対してのずれはまだ生じない（図１４（Ｂ））。
【０１５９】
その後、二群枠１１Ｂおよび三群用直進枠７Ｂがさらに繰り込まれると、相対位置がさらに接近し、退避カム１１Ｂｂのカム面１１Ｂｃによって三群枠１０Ｂは、上記シャッタ枠９との上記離間距離を保ったまま、退避方向に回動駆動される（図１４（Ｃ））。
【０１６０】
回転枠３が沈胴位置まで回転すると（図６）、  三群枠１０Ｂのカムフォロア１０Ｂｃが退避カム１１Ｂｂのカム面１１Ｂｃの端部の退避壁面１１Ｂｂに到達し、三群枠１０Ｂは、退避位置角度の回転角θ11の位置まで回動する（図１５）。そして、軸方向付勢バネ３６の付勢力によってシャッタ枠９側前方に相対移動し、軸支ボス部１０Ｂａの退避位置規制用平坦面１０Ｂｆが押さえ板部材８Ｂの突起部８Ｂｂに当接した状態となる。この移動状態では、三群レンズ２３の前面部がシャッタ羽根５４の光軸Ｏ方向位置より前方に位置した収納位置（退避位置）に到達し、三群レンズ２３は、撮影光路から完全に退避している（図１４（Ｄ），図１５）。このように本実施の形態においても、突出部９ｄと干渉することなく、基準面９ｂよりも三群枠１０Ｂから離間した方向に形成される三群枠退避空間９ｅ内に三群枠１０Ｂを退避させることができる。
【０１６１】
また、回転枠３の沈胴位置への回転に伴って、他の枠部材である移動枠４，カム枠５，直進ガイド枠６，一群枠１２，二群枠１１Ｂ，四群枠１３もそれぞれの沈胴位置に移動し、沈胴動作を終了する（図６）。
【０１６２】
上述した本実施形態のレンズ鏡筒においても、第一の実施形態のレンズ鏡筒１と同様の効果を奏する。特に本実施形態のレンズ鏡筒では、第一の実施形態で適用した回転駆動部材３５を用いる必要がない。さらに、退避枠である三群枠１０Ｂを光軸Ｏ方向に移動させるための端面カム部および該カム部に従動するカムフォロアを設ける必要がなく、構成、動作ともに簡単になる。また、退避カム１１Ｂｂが二群枠１１Ｂに設けられており、撮像素子側の保持プレート１５を装着しない状態のレンズ鏡筒のみで三群枠１０Ｂの退避駆動状態を確認することが可能である。
【０１６３】
さらに、本実施形態のレンズ鏡筒は、上述のように端面カム部を適用しないので、退避レンズである三群レンズ２３のシャッタ枠９との離間のスラスト変化量が大きい場合に有利である。また、三群レンズ２３を撮影光軸上で位置変化させることが可能なために三群レンズ２３と光学部材の径方向の隙間が少ない場合にも有利である。
【０１６４】
このように上述した各実施の形態では、退避枠である三群枠はこれに隣接する側に凸形状を有するレンズを保持させ、退避枠に隣接するシャッタ枠を三群枠に向けて凹形状としている。これにより、撮影状態では両者の凸部と凹部とが組み合わさるように配置することで両者を近接して配置することができる。そして、退避動作時には両者を一旦離間させることで退避動作時における両者の干渉を効果的に防ぐことができる。
【０１６５】
また、上述した各実施の形態では、退避動作において退避枠である三群枠を隣接するシャッタ枠に対して光軸方向に移動させているが、シャッタ枠を三群枠に対して変位させることも可能である。
【０１６６】
また、上述の各実施の形態では、三群枠に隣接する光学要素としてシャッタ枠を例にとっているが、これに限らず、絞り機構を有する絞り枠や、レンズ群を支持するレンズ枠であってもよい。
【０１６７】
この発明は、上記各実施の形態に限ることなく、その他、実施段階ではその要旨を逸脱しない範囲で種々の変形を実施し得ることが可能である。さらに、上記各実施形態には、種々の段階の発明が含まれており、開示される複数の構成要件における適宜な組合せにより種々の発明が抽出され得る。
【産業上の利用可能性】
【０１６８】
本発明によるレンズ鏡筒は、レンズ鏡筒を収納状態に切り換える際に退避レンズの光路からの効果的な退避制御を行い、撮影状態で要求される光学要素の配置が実現でき、同時に光学要素の収納状態におけるレンズ鏡筒のさらなる短縮化も可能なレンズ鏡筒として利用できる。
【図面の簡単な説明】
【０１６９】
【図１】本発明の第一の実施形態のレンズ鏡筒の分解斜視図である。
【図２】図１のレンズ鏡筒を構成する鏡枠部材のうちのシャッタ・３群ユニットと退避カムの分解斜視図である。
【図３】図２のシャッタ・３群ユニットに内蔵される三群枠の斜視図である。
【図４】図１のレンズ鏡筒のテレ状態における光軸に沿った断面図である。
【図５】図１のレンズ鏡筒のワイド状態における光軸に沿った断面図である。
【図６】図１のレンズ鏡筒の沈胴状態における光軸に沿った断面図である。
【図７】図１のレンズ鏡筒の撮影状態から沈胴状態への切り換え時における三群枠の進入位置から退避位置への各移動状態を光軸Ｏ方向前方から見た図と同状態における光軸Ｏ方向に沿った断面図とを並べて示した図であって、図７（Ａ）は、撮影状態における三群枠を示し、図７（Ｂ）は、退避動作が開始され、三群枠がシャッタ枠から離間した状態を示し、図７（Ｃ）は、三群枠の退避回動状態を示し、図７（Ｄ）は、三群枠の退避動作完了状態を示す。
【図８】図１のレンズ鏡筒の撮影状態から沈胴状態への切り換え時における三群枠の回転角に対するシャッタ枠と三群レンズ（退避レンズ）との光軸Ｏ方向の相対位置の変化を示す図である。
【図９】本発明の第二の実施形態のレンズ鏡筒を構成する二群枠とシャッタ・３群ユニットと分解斜視図である。
【図１０】図９のシャッタ・３群ユニットを構成する三群用直進枠のカム部の斜視図である。
【図１１】図９のレンズ鏡筒の撮影状態から沈胴状態への切り換え時における三群枠の進入位置から退避位置への各移動状態を光軸Ｏ方向前方から見た図と同状態における光軸Ｏ方向に沿った断面図とを並べて示した図であって、図１１（Ａ）は、撮影状態における三群枠を示し、図１１（Ｂ）は、退避動作が開始され、三群枠がシャッタ枠から離間した状態を示し、図１１（Ｃ）は、三群枠の退避回動状態を示し、図１１（Ｄ）は、三群枠の退避動作完了状態を示す。
【図１２】本発明の第三の実施形態のレンズ鏡筒を構成する二群枠とシャッタ・３群ユニットと分解斜視図である。
【図１３】図１２のシャッタ・３群ユニットを構成する三群用直進枠のカム部の斜視図である。
【図１４】図１２のレンズ鏡筒の撮影状態から沈胴状態への切り換え時における三群枠の進入位置から退避位置への各移動状態を光軸Ｏ方向前方から見た図と同状態における光軸Ｏ方向に沿った断面図とを並べて示した図であって、図１４（Ａ）は、撮影状態における三群枠を示し、図１４（Ｂ）は、退避動作が開始され、三群枠がシャッタ枠から離間した状態を示し、図１４（Ｃ）は、三群枠の退避回動状態を示し、図１４（Ｄ）は、三群枠の退避動作完了状態を示す。
【図１５】図１２のレンズ鏡筒の撮影状態から沈胴状態への切り換え時における三群枠の回転角に対するシャッタ枠と三群レンズ（退避レンズ）との光軸Ｏ方向の相対位置の変化を示す図である。
【符号の説明】
【０１７０】
１  …レンズ鏡筒
７ｄ…突起部
（駆動手段，カム手段，カムフォロア）
９  …シャッタ枠（変位枠）
１０，１０Ａ，１０Ｂ
…三群枠（退避枠）
１０ａ，１０Ａａ，１０Ｂａ
…軸支ボス部（軸受け部）
１０ｄ，７Ａｄ
…端面カム部（駆動手段，カム手段）
１０ｅ，７Ａｅ
…第一カム面（第一のカム部，カム手段）
１０ｆ，７Ａｆ
…第二カム面（第二のカム部，カム手段）
１０ｇ，７Ａｇ
…第三カム面（第三のカム部，カム手段）
１０ｈ，７Ａｈ
…第四カム面（第四のカム部，カム手段）
１０ｉ，７Ａｉ
…第五カム面（第五のカム部，カム手段）
１０Ａｄ…カムフォロア（駆動手段，カム手段）
３５  …三群枠用回転駆動部材（駆動手段）
５２  …支持軸（軸部材）
【図１】
2008170650.tif 000003
【図２】
2008170650.tif 000004
【図３】
2008170650.tif 000005
【図４】
2008170650.tif 000006
【図５】
2008170650.tif 000007
【図６】
2008170650.tif 000008
【図７】
2008170650.tif 000009
【図８】
2008170650.tif 000010
【図９】
2008170650.tif 000011
【図１０】
2008170650.tif 000012
【図１１】
2008170650.tif 000013
【図１２】
2008170650.tif 000014
【図１３】
2008170650.tif 000015
【図１４】
2008170650.tif 000016
【図１５】
2008170650.tif 000017